(57)【要約】【課題】ユーザの安全性を高めることができる加熱調理器を提供する。【解決手段】加熱調理器は、ケーシング１と、ケーシング１内に設けられて、前面側に開口部を有すると共に、被加熱物を収容する加熱庫と、被加熱物を加熱する下ヒータと、加熱庫に対して前後方向に移動可能に設けられ、加熱庫の開口部を開閉する把手付きドア２と、ケーシング１に固定された一対の固定レール４５，４５と、固定レール４５，４５に対して進退可能に設けられ、前端部が把手付きドア２に取り付けられた一対の可動レール４２，４２と、一対の可動レール４２，４２を互いに連結する板状部材４７とを備える。板状部材４７は、把手付きドア２の前後方向の移動に伴い、加熱庫の開口部よりも下側の領域を前後方向に移動すると共に、加熱庫の開口部を把手付きドア２で閉鎖すると、加熱庫の底部よりも下側に位置する。【選択図】図６
2011043267.tif 000002
【特許請求の範囲】
【請求項１】
ケーシングと、
上記ケーシング内に設けられて、前面側に開口部を有すると共に、被加熱物を収容する加熱庫と、
上記被加熱物を加熱するための加熱部と、
上記加熱庫に対して前後方向に移動可能に設けられ、上記加熱庫の上記開口部を開閉する開閉扉と、
上記ケーシングに固定された固定部材と、
上記固定部材に対して進退可能に設けられ、前端部が上記開閉扉に取り付けられた互いに対向する棒状部材と、
上記対向する棒状部材を互いに連結する板状部材と
を備え、
上記板状部材は、上記開閉扉の前後方向の移動に伴い、上記加熱庫の上記開口部よりも下側の領域を前後方向に移動すると共に、上記加熱庫の上記開口部を上記開閉扉で閉鎖すると、上記加熱庫の底部よりも下側に位置することを特徴とする加熱調理器。
【請求項２】
請求項１に記載の加熱調理器において、
上記ケーシングの前面には、上記加熱庫の上記開口部から流れ出た結露水を上記板状部材上へ案内する案内部が設けられていることを特徴とする加熱調理器。
【請求項３】
請求項１または２に記載の加熱調理器において、
上記板状部材の上面には凹部が設けられていることを特徴とする加熱調理器。
【請求項４】
請求項３までのいずれか一項に記載の加熱調理器において、
上記凹部は上面視で略長方形状であり、上記凹部の長辺は左右方向に略平行であることを特徴とする加熱調理器。
【請求項５】
請求項３または４に記載の加熱調理器において、
上記凹部は複数設けられていて、複数の上記凹部は互いに隣接していることを特徴とする加熱調理器。
【請求項６】
請求項３から５までのいずれか一項に記載の加熱調理器において、
上記凹部の壁面は前後方向および横方向に延びていることを特徴とする加熱調理器。
【請求項７】
請求項１から６までのいずれか一項に記載の加熱調理器において、
上記加熱部は、上記加熱庫の上記開口部が上記開閉扉で閉鎖されているときに、上記加熱庫の底部と上記板状部材との間に位置するように設けられていることを特徴とする加熱調理器。
【請求項８】
請求項１から７までのいずれか一項に記載の加熱調理器において、
上記加熱部は上記加熱庫の底部で覆われて上記加熱庫内に露出していないことを特徴とする加熱調理器。
【請求項９】
請求項１から８までのいずれか一項に記載の加熱調理器において、
上記ケーシング内に設けられ、上記加熱庫に供給される蒸気を発生させる蒸気発生装置を備えることを特徴とする加熱調理器。
【発明の詳細な説明】
【技術分野】
【０００１】
本発明は加熱調理器に関する。
【背景技術】
【０００２】
従来、加熱調理器としては、前面側に開口部を有する加熱庫と、その開口部を開閉する開閉扉とを備えたものがある（特開２００９−１４６７０２号公報（特許文献１）参照）。ユーザは、開閉扉を開いた後、上記開口部を通して、被加熱物を加熱庫内に入れたり、加熱庫内の被加熱物を上記開口部を通して加熱庫外に出したりする。
【０００３】
このような従来の加熱調理器の中には、開閉扉としてスライド開閉式ドアを採用しているものがある。このスライド開閉式のドアを手前側に引き出すと、加熱庫の前面側の開口部が開放する。
【０００４】
以下、図１１に示すように、スライド開閉式ドア１０４を備えた従来の加熱調理器の構造についてより詳しく説明する。
【０００５】
上記従来の加熱調理器では、加熱庫１０１外に、加熱庫１０１に対して移動不可能な一対の固定レール１０２，１０２を設けると共に、固定レール１０２，１０２に対して進退可能な一対の可動レール１０３，１０３を設けている。この一対の可動レール１０３，１０３の前端部にスライド開閉式ドア１０４を取り付けて、加熱庫１０１の前側の開口部１０１ａをスライド開閉式ドア１０４で開閉できるようにしている。
【０００６】
また、図示しないが、一対の可動レール１０３，１０３間の上には、所定の間隔を開けてトレイが配置され、さらに、そのトレイ上には調理網が載置される。このトレイおよび調理網は、被加熱物を加熱するときに、加熱庫１０１内に入れられる。また、上記トレイは、スライド開閉式ドア１０４の後面（加熱庫１０１側の表面）に取り付けられて支持されており、一対の可動レール１０３，１０３に取り付けられていない。
【０００７】
ところで、上記加熱庫１０１内の被加熱物を加熱することにより、加熱庫１０１の内壁に結露水が付着する。その後、スライド式ドア１０４を手前側に引き出すと、その結露水が加熱庫１０１の開口部１０１ａから流れ出し、一対の可動レール１０３，１０３間を通って流れ落ちてしまう。
【０００８】
したがって、上記スライド式ドア１０４を開けるとき、一対の可動レール１０３，１０３間の下にユーザの足があることが多いため、加熱庫１０１の開口部１０１ａからの結露水がユーザの足に降り掛かる可能性が高い。
【０００９】
上記結露水は、被加熱物の加熱直後においては温度が下がりきっておらず、高温である。このような高温の結露水がユーザの足に降り掛かることは当然に避けなければならない。
【００１０】
すなわち、上記従来の加熱調理器には、ユーザが高温の結露水で火傷する恐れがあるという問題がある。
【先行技術文献】
【特許文献】
【００１１】
【特許文献１】特開２００９−１４６７０２号公報
【発明の概要】
【発明が解決しようとする課題】
【００１２】
そこで、本発明の課題は、ユーザの安全性を高めることができる加熱調理器を提供することにある。
【課題を解決するための手段】
【００１３】
上記課題を解決するため、本発明の加熱調理器は、
ケーシングと、
上記ケーシング内に設けられて、前面側に開口部を有すると共に、被加熱物を収容する加熱庫と、
上記被加熱物を加熱するための加熱部と、
上記加熱庫に対して前後方向に移動可能に設けられ、上記加熱庫の上記開口部を開閉する開閉扉と、
上記ケーシングに固定された固定部材と、
上記固定部材に対して進退可能に設けられ、前端部が上記開閉扉に取り付けられた互いに対向する棒状部材と、
上記対向する棒状部材を互いに連結する板状部材と
を備え、
上記板状部材は、上記開閉扉の前後方向の移動に伴い、上記加熱庫の上記開口部よりも下側の領域を前後方向に移動すると共に、上記加熱庫の上記開口部を上記開閉扉で閉鎖すると、上記加熱庫の底部よりも下側に位置することを特徴としている。
【００１４】
上記構成の加熱調理器によれば、上記加熱庫に対して開閉扉を前方向に移動させ、加熱庫の開口部を開放する。このとき、上記板状部材は、開閉扉の前方向の移動に伴い、加熱庫の開口部よりも下側の領域を前方向に移動するので、加熱庫の開口部から流れ出る結露水を板状部材で受けることができる。
【００１５】
したがって、上記結露水がユーザにかかるのを板状部材で防ぐことができるので、ユーザの安全性を高めることができる。
【００１６】
また、上記結露水を板状部材で受けた後、加熱庫に対して開閉扉を後方向に移動させ、加熱庫の開口部を開閉扉で閉鎖する。そうすると、上記板状部材は加熱庫の底部よりも下側に位置するので、板状部材上の結露水を加熱庫の底部の熱で蒸発させることができる。
【００１７】
したがって、上記板状部材上から結露水を除去する手間を軽減できるので、ユーザの利便性も高めることができる。
【００１８】
また、上記対向する棒状部材を板状部材で互いに連結するので、棒状部材がねじれに対して強くなる。
【００１９】
したがって、上記開閉扉の前後方向の移動が安定し、加熱調理器の使用感を向上させることができる。
【００２０】
一実施形態の加熱調理器では、
上記ケーシングの前面には、上記加熱庫の上記開口部から流れ出た結露水を上記板状部材上へ案内する案内部が設けられている。
【００２１】
上記実施形態の加熱調理器によれば、上記案内部は、加熱庫の開口部から流れ出た結露水を板状部材上へ案内するので、板状部材で受けることができない結露水を低減することができる。
【００２２】
一実施形態の加熱調理器では、
上記板状部材の上面には凹部が設けられている。
【００２３】
上記実施形態の加熱調理器によれば、上記板状部材の上面に凹部を設けているので、結露水を凹部で保持することができる。
【００２４】
したがって、上記結露水が板状部材から流れ落ちる可能性を低くすることができ、ユーザの安全性を確実に高めることができる。
【００２５】
また、上記板状部材の上面に凹部を設けているので、板状部材の強度向上効果を得られる。
【００２６】
一実施形態の加熱調理器では、
上記凹部は上面視で略長方形状であり、上記凹部の長辺は左右方向に略平行である。
【００２７】
上記実施形態の加熱調理器によれば、上記凹部は上面視で略長方形状であり、凹部の長辺は左右方向に延びるので、板状部材が前後方向に移動しても、凹部内の結露水が凹部外に流れ難くすることができる。
【００２８】
一実施形態の加熱調理器では、
上記凹部は複数設けられていて、複数の上記凹部は互いに隣接している。
【００２９】
上記実施形態の加熱調理器によれば、上記複数の凹部が互いに隣接するので、ある凹部から結露水が流れ出たとしても、他の凹部でその結露水を保持することができる。
【００３０】
また、上記凹部は複数設けられているので、板状部材の強度を大幅にアップさせることができる。
【００３１】
一実施形態の加熱調理器では、
上記凹部の壁面は前後方向および横方向に延びている。
【００３２】
上記実施形態の加熱調理器によれば、上記凹部の壁面は前後方向および横方向に延びているので、板状部材が前後方向および横方向に揺れても、凹部による結露水の保持を維持できる。
【００３３】
一実施形態の加熱調理器では、
上記加熱部は、上記加熱庫の上記開口部が上記開閉扉で閉鎖されているときに、上記加熱庫の底部と上記板状部材との間に位置するように設けられている。
【００３４】
上記実施形態の加熱調理器によれば、上記加熱庫の開口部を開閉扉で閉鎖しているとき、加熱庫の底部と板状部材との間に加熱部があるので、加熱部の熱を板状部材上の結露水に与えることができる。
【００３５】
したがって、上記板状部材上の結露水を高効率で蒸発させることができる。
【００３６】
一実施形態の加熱調理器では、
上記加熱部は上記加熱庫の底部で覆われて上記加熱庫内に露出していない。
【００３７】
上記実施形態の加熱調理器によれば、上記加熱部は加熱庫の底部で覆われて加熱庫内に露出していないので、被加熱物から例えば脂が出ても、その脂が加熱部に付着しない。
【００３８】
また、上記加熱庫の開口部を開閉扉で閉鎖しているとき、加熱部よりも下側に位置する板状部材も、被加熱物からの脂で汚れない。
【００３９】
したがって、上記加熱部および板状部材に対する清掃またはメンテナンスの回数を低減できるので、ユーザの利便性を高めることができる。
【００４０】
一実施形態の加熱調理器は、
上記ケーシング内に設けられ、上記加熱庫に供給される蒸気を発生させる蒸気発生装置を備える。
【００４１】
上記実施形態の加熱調理器によれば、上記蒸気発生装置によって発生した蒸気を加熱庫に供給すると、加熱庫の開口部を開放したときに、その開口部から大量の結露水が流れ出るが、その大量の結露水を板状部材で受けることができる。
【発明の効果】
【００４２】
本発明の加熱調理器によれば、板状部材は、開閉扉の前後方向の移動に伴い、加熱庫の上記開口部よりも下側の領域を前後方向に移動するので、加熱庫の開口部から流れ出る結露水を板状部材で受けることができる。
【００４３】
したがって、上記結露水がユーザにかかるのを板状部材で防ぐことができるので、ユーザの安全性を高めることができる。
【００４４】
また、上記加熱庫の開口部を開閉扉で閉鎖すると、板状部材は加熱庫の底部よりも下側に位置するので、板状部材上の結露水を加熱庫の底部の熱で蒸発させることができる。
【００４５】
したがって、上記板状部材上から結露水を除去する手間を軽減できるので、ユーザの利便性も高めることができる。
【００４６】
また、上記開閉扉には互いに対向する棒状部材の前端部が取り付けられ、この対向する棒状部材は板状部材を介して互いに連結されるので、棒状部材のねじれ強度が高くなる。
【００４７】
したがって、上記開閉扉の前後方向の移動が安定し、加熱調理器の使用感を向上させることができる。
【図面の簡単な説明】
【００４８】
【図１】図１は本発明の一実施形態の加熱調理器の概略正面図である。
【図２】図２は上記加熱調理器を前方の斜め上方から見た概略斜視図である。
【図３】図３は上記加熱調理器を後方の斜め上方から見た概略斜視図である。
【図４】図４は上記加熱調理器を側方から見た概略斜視図である。
【図５】図５は上記加熱調理器を前方の斜め上方から見た概略斜視図である。
【図６】図６は上記加熱調理器の上面図である。
【図７】図７は上記加熱調理器の側面図である。
【図８】図８は上記加熱調理器の上面図である。
【図９】図９は図８のIX−IX線矢視断面図である。
【図１０】図１０は上記加熱調理器の要部の模式正面図である。
【図１１】図１１は従来の加熱調理器の要部の模式斜視図である。
【発明を実施するための形態】
【００４９】
以下、本発明の加熱調理器を図示の実施の形態により詳細に説明する。
【００５０】
図１は本発明の一実施形態の加熱調理器の概略正面図である。
【００５１】
上記加熱調理器は、ケーシング１と、このケーシング１の前面側に取り付けられたスライド開閉式の把手付きドア２とを備えている。また、ケーシング１の前面側には、閉鎖時の把手付きドア２に隣り合うように操作パネル３を設けている。そして、操作パネル３の下方には露受容器４を配置している。なお、把手付きドア２は開閉扉の一例である。
【００５２】
上記把手付きドア２は、後述する加熱庫８に対して前後方向に移動可能に設けられている。また、把手付きドア２の前面には把手部５１が一体に取り付けられている。そして、把手付きドア２の前面には、把手部５１の上側に位置するように透明の耐熱ガラス５２が取り付けられている。
【００５３】
上記操作パネル３にはダイヤル５を回転自在に取り付けている。また、操作パネル３は液晶表示部７を有し、この液晶表示部７がダイヤル５の操作に応じた表示を行う。
【００５４】
上記露受容器４は２つの前脚６，６に着脱可能な容器である。この前脚６，６はケーシング１の底部の前側に設けられている。そして、前脚６，６に露受容器４を取り付けると、露受容器４の一部が閉鎖時の把手付きドア２の後面（ケーシング１側の面）の下方に位置する。
【００５５】
図２は、上記ケーシング１の天部および両側部が取り外された加熱調理器を前方の斜め上方から見た概略斜視図である。また、図３は、図２の加熱調理器を後方の斜め上方から見た概略斜視図である。
【００５６】
上記ケーシング１内には、図２，図３に示すように、魚や肉などの被加熱物を加熱するための加熱庫８を設置している。また、ケーシング１内において、加熱庫８の側方かつ操作パネル３の後方の空間を電装品室９とし、加熱庫８の後方かつ電装品室９の後方の空間を吸気空間１０としている。つまり、電装品室９はケーシング１の一側方に設けられている一方、吸気空間１０はケーシング１の後側に設けられている。
【００５７】
上記加熱庫８は開口部８ａ（図５参照）を前面側に有し、把手付きドア２が加熱庫８の開口部８ａを開閉する。上記被加熱物は、加熱庫８の開口部８ａを通して、加熱庫８内から取り出したり、加熱庫８内に入れたりする。また、加熱庫８の上方、下方、後方および両側方のそれぞれには、遮熱板１１，１１，…を配置している。つまり、遮熱板１１，１１，…は加熱庫８の開口部８ａを除く周囲に配置されている。また、図示しないが、遮熱板１１と加熱庫８との間の空間には断熱材を充填している。そして、加熱庫８内の気体は、排気経路１２でケーシング１の前側に案内されて、ケーシング１の前側からケーシング１外に排気される。
【００５８】
上記電装品室９内には、加熱庫８へ供給される蒸気を発生させる蒸気発生装置１３と、この蒸気発生装置１３に給水チューブ２０を介して接続された給水ポンプ１４と、この給水ポンプ１４の前方に配置されたタンク収納部１５とがある。そして、上記被加熱物の加熱時には、冷却ファン１６からの空気が電装品室９内を流れ、給水ポンプ１４などの電装品を冷却できるようにしている。
【００５９】
上記吸気空間１０は、冷却ファン１６の駆動時、ケーシング１の後側周辺の空気が４つの吸気口１７，１７，…から流れ込む空間である。この吸気空間１０内の空気は冷却ファン１６に吸い込まれて電装品室９内へ吹き出される。なお、各吸気口１７は、ケーシング１の後部に設けられた複数のスリットで構成されている。
【００６０】
上記排気経路１２は、可撓性を有する合成樹脂製の排気チューブ１８と、タンク収納部１５の側方に配置され、非可撓性を有する合成樹脂製の排気ダクト１９とを含む。
【００６１】
上記排気チューブ１８は電装品室９の後側上部から前側下部へ延びるように設置されている。そして、排気チューブ１８の後端部は加熱庫８の後部に接続されている一方、排気チューブ１８の前端部は排気ダクト１９に接続されている。
【００６２】
上記排気ダクト１９の後端は開口しており、冷却ファン１６からの空気が排気ダクト１９内に流入するようになっている。加熱庫８内からの気体は、冷却ファン１６からの空気と混ざって温度が下がる。
【００６３】
なお、図２，図３の２１は、電装品室９と吸気空間１０とを仕切る間仕切壁である。この間仕切壁２１には冷却ファン１６を取り付けている。
【００６４】
図４は、図２の加熱調理器を側方から見た概略斜視図である。
【００６５】
上記排気ダクト１９の前側の底部には排気兼排水口２２を設けている。この排気兼排水口２２はケーシング１の底部を貫通し露受容器４に対向する。また、排気ダクト１９内には排気チューブ１８の前端部が入っており、排気チューブ１８の前端部の開口が排気兼排水口２２側に向いている。排気チューブ１８内および排気ダクト１９内で生じた結露水は、排気兼排水口２２を介して露受容器４へ排水することが可能である。
【００６６】
上記タンク収納部１５は給水タンク２３を収納している。この給水タンク２３は、図５に示すように、把手付きドア２を開放すると前面が露出し、タンク収納部１５に出し入れ可能となる。また、給水タンク２３内の水は、給水ポンプ１４の駆動により、給水チューブ２０を介して蒸気発生装置１３に供給される。蒸気発生装置１３は、給水ポンプ１４からの水を蒸気発生用ヒータ２４で加熱して、水蒸気を発生させる。
【００６７】
また、上記把手付きドア２の開放に伴って、上記被加熱物を載置するトレイ４０が加熱庫８内から引き出される。
【００６８】
図６は、上記把手付きドア２が開放された加熱調理器の上面図である。また、図７は、図６の加熱調理器の側面図である。なお、図６，図７の加熱調理器はケーシング１の一部および操作パネル３が取り外されている。
【００６９】
図６，図７に示すように、上記把手付きドア２の後面には、側方視の形状略Ｕ字形状である係止部４３が２つ設けられている。この係止部４３，４３にはトレイホルダ４４の前端部が着脱可能に係止される。
【００７０】
上記トレイホルダ４４はトレイ４０を着脱可能に保持する。このトレイホルダ４４は金属製の線材を所定の形状に折り曲げて形成される。また、トレイホルダ４４の後端部は加熱庫８の底部の内壁面上を摺動する。
【００７１】
上記レールユニット４１は、ケーシング１に固定された一対の固定レール４５，４５と、この固定レール４５，４５に対して進退可能な一対の可動レール４２，４２とを有する。なお、固定レール４５，４５は固定部材の一例であり、可動レール４２，４２は棒状部材の一例である。
【００７２】
上記可動レール４２，４２の前端部には、把手付きドア２が連結金具４３を介して着脱可能に取り付けられている。また、一対の可動レール４２，４２を板状部材４７で互いに連結しており、トレイ４０およびトレイホルダ４４下に板状部材４７が位置する。
【００７３】
上記板状部材４７は、把手付きドア２の前後方向の移動に伴い、加熱庫８の上記開口部よりも下側の領域を前後方向に移動する。また、板状部材４７は、加熱庫８の開口部８ａ（図５参照）を把手付きドア２で閉鎖すると、加熱庫８の底部よりも下側に位置するように設けられている。
【００７４】
図８は、上記トレイ４０およびトレイホルダ４４が取り外された加熱調理器の上面図である。
【００７５】
上記板状部材４７は、一方の可動レール４２の前端部と他方の可動レール４２の前端部との間から、一方の可動レール４２の後端部と他方の可動レール４２の後端部との間までに渡って配置されている。また、板状部材４７の上面には、深さを例えば１ｍｍを設定した凹部４８Ａ，４８Ｂ，４８Ｃが設けられている。凹部４８Ａは１個、凹部４８Ｂは３個、凹部４８Ｃは２個あって、１個の凹部４８Ａおよび２個の凹部４８Ｃは前後方向において３個の凹部４８Ｂのうちの一つに隣接し、３個の凹部４８Ｂは前後方向において互いに隣接している。また、各凹部４８Ａ，４８Ｂ，４８Ｃの壁面は前後方向および横方向に延びている。具体的には、各凹部４８の上面視の形状は略長方形状である。そして、各凹部４８４８Ａ，４８Ｂ，４８Ｃの長手方向は、把手付きドア２が移動する方向に直交する水平方向と略平行にしている。つまり、各凹部４８Ａ，４８Ｂ，４８Ｃの長辺は左右方向に延びる。
【００７６】
図９は、図８のIX−IX線から見た断面図である。
【００７７】
上記加熱庫８上には上ヒータ収納部２５が設けられており、上ヒータ収納部２５内に上ヒータ２６の発熱部２６ａを収納している。蒸気発生装置１３（図２〜図４参照）から上ヒータ収納部２５内に流入した水蒸気は、上ヒータ２６で過熱されて過熱水蒸気となる。ここで、上記過熱水蒸気とは、１００℃以上の過熱状態にまで加熱された蒸気を意味する。
【００７８】
上記上ヒータ２６の発熱部２６ａは加熱庫８の天部に上側から対向している。加熱庫８の天部は、上ヒータ２６に加熱されて加熱庫８内の被加熱物へ輻射熱を照射する輻射板として働く。また、加熱庫８の天部には蒸気吹出孔２８，２８，…を設けられており、上ヒータ収納部２５内の過熱水蒸気が蒸気吹出孔２８，２８，…から加熱庫８内へ吹き出す。また、上ヒータ収納部２５内の空間と加熱庫８内の空間とは、蒸気吹出孔２８，２８，…のみを介して連通している。つまり、蒸気吹出孔２８，２８，…以外の箇所では、上ヒータ２６は加熱庫８の天部で覆われて、加熱庫８内に露出していない。
【００７９】
一方、上記加熱庫８下には下ヒータ収納部２９が設けられており、下ヒータ収納部２９内に下ヒータ３０の発熱部３０ａを収納している。なお、下ヒータ３０が加熱部の一例である。
【００８０】
上記下ヒータ３０の発熱部３０ａは加熱庫８の底部に下側から対向している。加熱庫８の底部は、加熱庫８の天部とは異なり、貫通孔を有していない。つまり、下ヒータ３０の発熱部３０ａは、加熱庫８の底部で完全に覆われて、加熱庫８内に露出していない。これにより、被加熱物から出た油などが滴下して下ヒータ３０に付着しないようにしている。
【００８１】
また、上記把手付きドア２を閉鎖すると、板状部材４７は、下ヒータ３０の加熱部３０ａの下方に設けられたスペースＳ内に位置するようになっている。別の言い方をすれば、下ヒータ３０の加熱部３０ａは、把手付きドア２の閉鎖時に、加熱庫８の底部と板状部材４７との間に位置するように設けられている。
【００８２】
また、上記加熱庫８の後部には排気口２７が設けられている。加熱庫８内の気体は、排気口２７から加熱庫８外へ出て、排気経路１２を介して、ケーシング１の前側からケーシング１外に排気される。
【００８３】
また、蒸気把手付きドア２の後面には、前面側の耐熱ガラス５２と対向するように透明の耐熱ガラス３１が取り付けられている。この耐熱ガラス３１の周囲には、耐熱樹脂からなるパッキン３２が設けられている。把手付きドア２を閉鎖すると、パッキン３２が加熱庫８の開口部８ａの周縁部に密着して、ケーシング１の前面と把手付きドア２の後面との間から加熱庫１０９内の過熱水蒸気等が漏れ出ないようにしている。
【００８４】
図１０は上記加熱調理器の要部の模式正面図である。
【００８５】
上記ケーシング１の前面には、加熱庫８の開口部８ａから流れ出た結露水を板状部材４７上へ案内する２つの案内部３３が設けられている。この案内部３３，３３は、正面視の形状が略三角形状の凸部からなる。
【００８６】
また、上記ケーシング１の前面には、加熱庫８の開口部８ａよりも下側に位置するように貫通孔３４を設けている。可動レール４２，４２および板状部材４７は、貫通孔３４を通して、ケーシング１内から引き出されたり、ケーシング１内に入れられたりする。
【００８７】
上記構成の加熱調理器によれば、把手付きドア２を加熱庫８に対して前方向に移動させ、加熱庫８の開口部８ａを開放する。このとき、板状部材４７は、把手付きドア２の前方向の移動に伴い、加熱庫８の開口部８ａよりも下側の領域を前方向に移動するので、加熱庫８の開口部８ａから流れ出る結露水を板状部材４７で受けることができる。
【００８８】
したがって、上記結露水がユーザにかかるのを板状部材４７で防ぐことができるので、ユーザの安全性を高めることができる。
【００８９】
また、上記結露水を板状部材４７で受けた後、把手付きドア２を加熱庫８に対して後方向に移動させ、加熱庫８の開口部８ａを把手付きドア２で閉鎖する。そうすると、板状部材４７は加熱庫８の底部よりも下側に位置するので、板状部材４７上の結露水を加熱庫８の底部の熱で蒸発させることができる。
【００９０】
したがって、上記板状部材４７上から結露水を除去する手間を軽減できるので、ユーザの利便性も高めることができる。
【００９１】
また、上記板状部材４７によって一対の棒状部材を互いに連結するので、一対の棒状部材をねじれに対して強くすることができる。
【００９２】
したがって、上記把手付きドア２の前後方向の移動が安定し、加熱調理器の使用感を向上させることができる。
【００９３】
また、上記ケーシング１の前面に案内部３３，３３を設けているので、加熱庫８の開口部８ａから流れ出た結露水は、図１０の矢印に沿うように流れ落ち、板状部材４７上へ案内される。
【００９４】
したがって、上記板状部材４７で受けることができない結露水を低減することができる。
【００９５】
また、上記板状部材４７の上面に凹部４８Ａ，４８Ｂ，４８Ｃを設けているので、結露水を凹部４８Ａ，４８Ｂ，４８Ｃで保持することができる。
【００９６】
したがって、上記結露水が板状部材４７から流れ落ちる可能性を低くすることができ、ユーザの安全性を確実に高めることができる。
【００９７】
また、上記板状部材４７の上面に複数の凹部４８Ａ，４８Ｂ，４８Ｃを設けているので、板状部材４７の強度を大幅に高くすることができる。
【００９８】
また、上記凹部４８Ａ，４８Ｂ，４８Ｃの長手方向を、把手付きドア２が移動する方向に直交する水平方向と略平行にしているので、把手付きドア２を開閉しても、凹部４８Ａ，４８Ｂ，４８Ｃで結露水を保持し続けることができる。
【００９９】
また、上記凹部４８Ａ，４８Ｂ，４８Ｃが互いに隣接するので、４８Ａ，４８Ｂ，４８Ｃのうちの一つから結露水が流れ出たとしても、４８Ａ，４８Ｂ，４８Ｃのうちの他の一つでその結露水を保持することができる。
【０１００】
また、上記凹部４８Ａ，４８Ｂ，４８Ｃの壁面は前後方向および横方向に延びているので、板状部材４７が前後方向および横方向に揺れても、凹部４８Ａ，４８Ｂ，４８Ｃによる結露水の保持を維持できる。
【０１０１】
また、上記加熱庫８の開口部８ａを把手付きドア２で閉鎖しているとき、板状部材４７の上方に下ヒータ３０の発熱部３０ａがあるので、下ヒータ３０による輻射熱で板状部材４７上の結露水を効率良く蒸発させることができる。
【０１０２】
さらに、上記板状部材４７が配置されるスペースＳは、冷却ファン１６からの空気が流れるので、板状部材４７上の結露水にその空気を当てて蒸発させることもできる。
【０１０３】
また、上記下ヒータ３０の発熱部３０ａは加熱庫８の底部で覆われて加熱庫８内に露出していないので、被加熱物から例えば脂が出ても、その脂は下ヒータ３０の発熱部３０ａに付着しない。
【０１０４】
また、上記加熱庫８の開口部８ａを把手付きドア２で閉鎖しているとき、下ヒータ３０の発熱部３０ａよりも下側に位置する板状部材４７も、被加熱物からの脂で汚れない。
【０１０５】
したがって、上記下ヒータ３０および板状部材４７に対する清掃またはメンテナンスの回数を低減できるので、ユーザの利便性を高めることができる。
【０１０６】
また、上記蒸気発生装置１３によって加熱庫８内に水蒸気または過熱水蒸気を供給すると、加熱庫８の開口部８ａを開放したときに、その開口部８ａから大量の結露水が流れ出るが、その大量の結露水を板状部材４７で受けることができるので、ユーザは安心である。
【０１０７】
上記実施形態において、一対の可動レール４２，４２間に、単数または複数の可動レールまたは補強部材を設けてもよい。
【０１０８】
上記実施形態では、略一直線状に延びる可動レール４２，４２を用いていたが、屈曲部を有する可動レールを用いてもよい。
【０１０９】
上記実施形態では、ケーシング１の前面に、正面視の形状が略三角形状の凸部からなる案内部３３，３３を設けていたが、ケーシング１の前面に、正面視の形状が例えば略長方形状の凸部からなる案内部を設けてもよい。つまり、ケーシング１の前面に設ける案内部の形状は、加熱庫８の開口部８ａから流れ出た結露水を板状部材４７上へ案内できるのであれば、どのような形状であってもよい。
【０１１０】
また、上記案内部３３，３３のような案内部は、ケーシング１の前面に設けなくてもよいが、ユーザの安全性を確実に高める点から考えると、ケーシング１の前面に設ける方が好ましい。
【０１１１】
上記実施形態では、板状部材４７の上面に複数の凹部４８Ａ，４８Ｂ，４８Ｃを設けていたが、板状部材４７の上面に単数の凹部を設けてもよい。
【０１１２】
上記実施形態では、凹部４８Ａ，４８Ｂ，４８Ｃは、長辺が左右方向に延びるように設けていたが、長辺が左右方向に対して傾斜するように設けてもよい。
【０１１３】
上記実施形態では、板状部材４７の上面に、上面視の形状が略長方形状の凹部４８Ａ，４８Ｂ，４８Ｃを設けていたが、板状部材４７の上面に、上面視の形状が例えば略円形状または楕円形状の凹部を単数または複数設けてもよい。
【０１１４】
また、上記凹部４８Ａ，４８Ｂ，４８Ｃのような凹部は、板状部材４７の上面に設けなくてもよいが、ユーザの安全性を確実に高める点から考えると、板状部材４７の上面に設ける方が好ましい。
【０１１５】
上記実施形態において、上ヒータ２６および下ヒータ３０の換わりに、例えばマイクロ波加熱装置または電磁誘導加熱装置を加熱部の一例として用いてもよい。
【０１１６】
上記実施形態では、上ヒータ収納部２５内で過熱水蒸気が生成され、この過熱水蒸気が加熱庫８内に供給されるようにしていたが、下ヒータ収納部２９内でも過熱水蒸気が生成され、この過熱水蒸気が加熱庫８内に供給されるようにしてもよい。
【０１１７】
本発明は、例えば、過熱水蒸気を使用するオーブンレンジのみならず、過熱水蒸気を使用するオーブン、レンジまたはＩＨクッキングヒータ等の加熱調理器にも適用できるし、過熱水蒸気を使用しないオーブン、レンジ、オーブンレンジまたはＩＨクッキングヒータ等の加熱調理器にも適用できる。
【０１１８】
本発明の加熱調理器では、クッキングヒータ（ＩＨヒータや電気ヒータなどの電気コンロまたはガスコンロを用いたもの含む）やオーブンレンジなどにおいて、過熱水蒸気または飽和水蒸気を用いることによって、ヘルシーな調理を行うことができる。例えば、本発明の加熱調理器では、温度が１００℃以上の過熱水蒸気または飽和水蒸気を食品表面に供給し、食品表面に付着した過熱水蒸気または飽和水蒸気が凝縮して大量の凝縮潜熱を食品に与えるので、食品に熱を効率よく伝えることができる。また、凝縮水が食品表面に付着して塩分や油分が凝縮水と共に滴下することにより、食品中の塩分や油分を低減できる。さらに、加熱室内は過熱水蒸気または飽和水蒸気が充満して無酸素状態となることにより、食品の酸化を抑制した調理が可能となる。
【符号の説明】
【０１１９】
１  ケーシング
２  把手付きドア
８  加熱庫
１３  蒸気発生装置
３０  下ヒータ
３３  案内部
４２  可動レール
４５  固定レール
４７  板状部材
４８Ａ，４８Ｂ，４８Ｃ  凹部
【図１】
2011043267.tif 000003
【図２】
2011043267.tif 000004
【図３】
2011043267.tif 000005
【図４】
2011043267.tif 000006
【図５】
2011043267.tif 000007
【図６】
2011043267.tif 000008
【図７】
2011043267.tif 000009
【図８】
2011043267.tif 000010
【図９】
2011043267.tif 000011
【図１０】
2011043267.tif 000012
【図１１】
2011043267.tif 000013